Podtech/llm-jp-corpus-v4-ja_patent huggingface dataset:
(57)【要約】【課題】軽量かつ幅をとらずに携帯でき、使用方法により形状を変えられる棒状組み立て洗濯ハンガーを提供する。【解決手段】同じ長さの円筒を２本ずつ長短４本設け、各円筒の一端に凸結合部を形成し、他端に凹結合部を形成し、長短を交互に配列した状態で、４本の円筒を直列してつなぐように筒の中に１本の紐（ｏｒワイヤー）を通し、紐（ｏｒワイヤー）の両端に留めフックを設け、一方の留めフックの内寄りに輪付きのストッパーを設け、任意の一点に組み立てフックを付けたつるし紐（ｏｒワイヤー）を短い円筒２本に通した棒状組み立て洗濯ハンガー。【選択図】図１
2012165999.tif 000002
【特許請求の範囲】
【請求項１】
長円筒と短円筒をそれぞれ同じ長さで２本ずつ設け、各円筒の一端に凸結合部を形成し、他端に凹結合部を形成し、長短を交互に直列して数センチの間隔で配列した状態で、４本の円筒をつなぐように筒の中に１本の紐（ｏｒワイヤー）を通し、紐（ｏｒワイヤー）の両端に留めフックを設け、一方の留めフックのちょっと内寄りに輪付きのストッパーを設け、短い円筒２本には、それぞれその長さの４倍程のつるし紐（ｏｒワイヤー）を筒の中に通し、それぞれのつるし紐（ｏｒワイヤー）の任意の一点に組み立てフックを付けた棒状組み立て洗濯ハンガー。
【発明の詳細な説明】
【技術分野】
【０００１】    本発明は、洗濯ハンガーに関するものである。
【背景技術】
【０００２】  従来、洗濯ハンガーは、その形をあらかじめ形成された状態であることが多く、２つに折りたたみ収納することが多い。一つの洗濯物を干す一本のハンガーの折りたたみ式（特許文献１参照）や、たくさんの小物を干す角ハンガーの折りたたみ式（特許文献２参照）などが知られている。
【先行技術文献】
【０００３】
【特許文献１】特許公開平７−２４６１５０号公報
【特許文献２】登録実用新案第３０９３７５８号公報
【発明の概要】
【発明が解決しようとする課題】
【０００４】  従来、洗濯ハンガーは、収納をコンパクトにするための工夫としては、ほとんど「折りたたみ式」にすぎなく、その形状から２つに折りたたんでも、ほぼ原型の枠組がそのまま維持されるので一定の収納面の便利さはあるが、旅行などに携帯するにはかさばりすぎて不向きである。
本発明は、以上の問題を解決するものである。
【課題を解決するための手段】
【０００５】  長円筒と短円筒をそれぞれ同じ長さで２本ずつ設ける。各円筒の一端に凸結合部を形成し、他端に凹結合部を形成する。長短を交互に直列して数センチの間隔で配列した状態で４本の円筒をつなぐように筒の中に１本の紐（ｏｒワイヤー）を通す。紐（ｏｒワイヤー）の両端に留めフックを設け、一方の留めフックのちょっと内寄りに輪付きのストッパーを設ける。更に短い円筒２本には、それぞれその長さの４倍程のつるし紐（ｏｒワイヤー）を筒の中に通し、それぞれのつるし紐の任意の一点に組み立てフックを付けたことを特徴とする棒状組み立てハンガー。
【発明の効果】
【０００６】（イ）本発明により、洗濯ハンガーを軽量かつ幅をとらずに携帯できる。
（ロ）使用方法により、その形状を変えることができ、物干し竿にも角ハンガーにもなりえる。
（ハ）角のない直線的な棒状にして洗えるので、非常に手早く、かつ隅々まできれいに洗浄できる。
（ニ）４本の筒を並行に束ねるように収納できるので、スペースをとらず、旅行などにも携帯しやすく、旅先でも簡単に組み立てて物干しに使用できて便利である。
【図面の簡単な説明】
【０００７】
【図１】本発明の斜視図
【図２】本発明の断面図
【図３】本発明を使用可能に組み立てた状態を示す平面図
【図４】本発明の実施例を示す斜視図
【発明を実施するための形態】
【０００８】  以下、本発明の実施の形態を説明する。
長円筒（１）と短円筒（２）をそれぞれ同じ長さで２本ずつ設ける。各円筒の一端に凸結合部（３）を形成し、他端に凹結合部（４）を形成する。長短を交互に直列して数センチの間隔で配列した状態で４本の円筒をつなぐように筒の中に１本の紐（ｏｒワイヤー）（５）を通す。紐（ｏｒワイヤー）（５）の両端に留めフック（６）を設け、一方の留めフック（６）のちょっと内寄りに輪付きのストッパー（７）を設ける。更に短い円筒（２）２本には、それぞれその長さの４倍程のつるし紐（ｏｒワイヤー）（８）を筒の中に通し、それぞれのつるし紐（８）の任意の一点に組み立てフック（９）を付ける。
本発明は、以上のような構造である。
本発明を物干し竿として使用する際は、長短円筒（１）、（２）の端の凸結合部（３）と凹結合部（４）を接合し、１本の棒を形成し輪付きのストッパー（７）で固定する。両端の留めフック（６）を設置場所にかけて使用する。また、角ハンガーとして使用する際は、長短円筒（１）、（２）のそれぞれを一辺として長方形を形成し、通した紐（ｏｒワイヤー）を輪付きのストッパー（７）で固定し、他端の留めフック（６）を輪付きのストッパー（７）の輪にかけて長方形を固定する。対になるつるし紐（８）と組み立てフック（９）を接合させ、上からつるして使用する。
使用しない際は、輪付きのストッパー（７）を緩め、長短円筒（１）、（２）をそれぞれ単体の４本の円筒とし、平行に束ねて収納する。
【符号の説明】
【０００９】１長円筒、２短円筒、３凸結合部、４凹結合部、５紐（ｏｒワイヤー）、６留めフック、７輪付きのストッパー、８つるし紐（ｏｒワイヤー）、９組み立てフック、１０洗濯ピンチ
【図１】
2012165999.tif 000003
【図２】
2012165999.tif 000004
【図３】
2012165999.tif 000005
【図４】
2012165999.tif 000006
(57)【要約】【課題】カーテンのタッセルバンドの両端に付属するループ紐を容易にタッセル本体に装着出来る様に又、装着後、本体から抜け落ちる事の無いループ紐を提供する。【解決手段】長尺紐を熱板（４）の溶断部（５）にて溶断し紐の両先端の切り口（７ａ）（７ｂ）が整えられた一定寸の紐（２）を造り、その後、紐の両先端内側（８ａ）（８ｂ）を熱板（４）の溶着部（６）にて溶着しループ紐（３）に加工する事によりタッセルバンド（１）に容易に装着出来、又本体から抜け落ちる不良品の発生を防ぐ事を特徴とする。【選択図】図２
2012165993.tif 000002
【特許請求の範囲】
【請求項１】
カーテンを束ねるためのタッセルバンド（１）に付属するループ紐（３）の製造方法。長尺紐を熱板（４）により溶断・溶着してループ紐（３）を製品化する事で装着時の省力化と不良品の発生を防止出来る事を特徴とする。
【発明の詳細な説明】
【技術分野】
【０００１】この発明はカーテンのタッセルバンドの先端に付属するループ紐とその加工方法に関するものである。
【背景技術】
【０００２】従来タッセルは本体の両端にループ紐を縫い付けたものでありループ紐は長尺紐を一定寸に裁断しループ状にして直接タッセルバンドに挟み込みタッセルの縫製時に縫い込んでいた。
【発明の開示】
【発明が解決しようとする課題】
【０００３】これには次のような欠点があった、紐を鋏で裁断するため切り口がバラけていて、タッセルバンドに装着する時に手間が掛かりまた、縫い目からループ紐が抜け落ちる事が多かった。
【課題を解決するための手段】
【０００４】長尺紐を熱板（４）の溶断部（５）で切り口（７ａ）（７ｂ）を整えられ一定寸に溶断された紐の両先端の内側（８ａ）（８ｂ）を熱板（４）の溶着部（６）にて溶着しループ状に加工する。
【発明の効果】
【０００５】ループ紐（３）を熱板（４）にて加工して製品化する事でタッセルバンド（１）に装着する事が容易になり又、不良品の発生を無くす事が出来る。
【発明を実施するための最良の形態】
【０００６】以下本発明を実施するための最良の形態について説明する。
長尺紐を熱板（４）の溶断部（５）にて紐の切り口（７ａ）（７ｂ）が整えられた一定寸の紐を造りその両先端の内側（８ａ）（８ｂ）を熱板（４）の溶着部（６）で熱し溶着しタッセルバンドに装着すればよい。
【図面の簡単な説明】
【０００７】
【図１】本発明の熱板の斜視図
【図２】本発明の実施例（ａ）は溶断後（ｂ）は溶着後である。
【図３】本発明タッセル紐の縫い付け実施例を示す斜視図
【符号の説明】
【０００８】１  タッセルバンド              ２  一定寸紐
３  ループ紐                    ４  熱  板
５  溶断部                      ６  溶着部
７（ａ）、７（ｂ）  切り口      ８（ａ）、８（ｂ）  紐内側
９  スイッチ                  １０  プラグ
【図１】
2012165993.tif 000003
【図２】
2012165993.tif 000004
【図３】
2012165993.tif 000005
(57)【要約】【課題】  災害時に多角的且つ即効性を以て多様な機能を発揮する多機能バケツを提供する。【解決の手段】バケツ（１）の外側の連結体（２）を設け、バケツ（１）の開口部に環状の密閉蓋（４）を設け、環状蓋の円孔（３）に表裏２機能の蓋（８）を設け、該蓋の上面に回転座（９）を設け、該回転座の上にクッション（１０）を設け、該クッションの上に結束ネット（１１）を設け、該結束ネットの四隅に鉤（１２）を設け、該鉤で前記装備を該バケツの連結体（２）に掛けて固定したことを特徴とする。【選択図】図１
2012165994.tif 000002
【特許請求の範囲】
【請求項１】
バケツの外側に連結体を設け、該バケツの開口部に、円孔を設けた環座をを設け、該環座の外郭の下面に下向きの嵌溝を設け、該環状蓋の円孔に、裏面が円孔の密封栓、表面が置き蓋となる、表裏２機能の蓋を設け、該置き蓋の上面に回転座を設け、該回転座の上面にクッションを設け、該クッションの上面に結束ネットを設け、該結束ネットの四隅に鉤を設け、該バケツの連結体に前記装備を取り付けたことを特徴とする防災用多機能バケツ。
【発明の詳細な説明】
【技術分野】
【０００１】    本発明は、災害に備え有事の場合多彩な用途機能を発揮する、多機能バケツに関するものである。
【背景技術】
【０００２】    従来、防災バケツは火災予防の消火バケツとして、叉普通のバケツは掃除用具の用途などであった。
【発明の開示】
【発明が解決しようとする課題】
【０００３】  この分野には、次のような問題点があった、
（イ）非常用の持ち出し品の容器
（ロ）持ち出し用のリュック
（ハ）救命の浮き
（ニ）給食容器
（ホ）避難所での椅子、小物入れ
（ヘ）仮設トイレ
（ト）汚物の保管容器、
など、これらの各々は全てが単一機能の専用製品であり有事の際に、ただちに他の製品に転用ができなかった。
本発明はこれらの問題点を解決するためになされたものである。
【課題を解決するための手段】
【０００４】  バケツの外周に連結体を設け、開口部には中央に円孔を設け外周の下側に下向きの密封嵌溝を設けた環状蓋を設け、該円孔には裏が密封栓で表が置き蓋となる、表裏２機能の蓋を設け、該置き蓋の上に回転座を設け、該回転座の上面にクッションを設け、該クッションの上部に、結束ネットを設け、該結束ネットの四隅に鉤を設け、該鉤で前記装備を該バケツの連結体に結束したことを特徴とする防災用多機能バケツである。
【発明の効果】
【０００５】本発明を使用する事により、次のような効果が期待出来る。
（イ）非常用持ち出し品の収納容器が即避難の時の持ち出しリュックになる。
（ロ）避難の途上での急激な増水にはそのまま救命具として役立ち、洪水の時は単体を連結して筏にもなる
（ハ）避難所では給食配給容器として使用できる。
（ニ）避難生活では個人の小物入れ、回転式の丸椅子として足の不自由な人びとを助ける。
（ホ）環座があるので防災用応急トイレとして活用できる。
（ヘ）密閉栓の中蓋により汚物や生ゴミの保管容器にも使用できる。
（チ）避難民がめいめいに持ち寄るので容器の供給が充分になり避難所の生活がシ自主的且つ自由に助け合いが生まれるなど極めて便利な防災用多機能バケツである。
【発明を実施するための最良の形態】
【０００６】以下、本発明の実施の形態を説明する。
（イ）バケツ（１）の外周側面に鞍型の金具を取り付けて連結体（２）とする。
（ロ）バケツ（１）の開口部には、中央に円孔（３）を設けた環状蓋（４）を嵌め合わせる、嵌め合わせは該環状蓋の外郭の下面に下向きの密封嵌溝（５）を設ける。
（ハ）環状蓋の円孔（３）には蓋を設けるが、其の蓋の裏面には密封栓（６）表面は普通の置き蓋（７）の表裏２機能蓋（８）とする
（ニ）該、置き蓋の上面に回転円座（９）を設ける。
（ホ）該、回転座の上面に円形クッション（１０）を設ける。
（ヘ）該、クッションの上部に結束ネット（１１）を設ける。
（ト）該、結合ネットの四隅の先に定着の鉤（１２）を設け、該、鉤で前記装備を連結体に固定する。
本発明は、以上の構成よりなる防災用の多機能バケツである。
【図面の簡単な説明】
【０００７】
【図１】本発明の斜視図
【図２】本発明の分解斜視図
【図３】本発明の使用状態を示す斜視図
【符号の説明】
【０００８】１    バケツ
２    連結体
３    円孔
４    環状蓋
５    密封嵌溝
６    密閉栓
７    置き蓋
８    表裏２機能蓋
９    回転座
１０  クッション
１１  結束ネット
１２  鉤
【図１】
2012165994.tif 000003
【図２】
2012165994.tif 000004
【図３】
2012165994.tif 000005
(57)【要約】      （修正有）【課題】精米工場、炊飯工場、製粉工場、酒造工場等で大量に排出、浄化処理されている洗米水を、濃厚回収、濃縮、減菌、ｐＨ調整、貯留、均質化、強制排出の機能を備えたシステムを介して、これを飼料原料として利用するために必要なシステムであって、２５℃で７日間保存しても品質を安定に保持できるシステムを提供する。【解決手段】洗米時、米１ｋｇに対して水を１０％〜２０％加えて、固形分濃度８％以上の洗米水を得る装置を備え、これに続く固液分離操作によって、固形分１０％〜２０％の濃厚洗米水を得る処理能力２００リットル／時間以上の装置を備える。次工程の加熱殺菌機構において、６０〜１００℃の温度域で、１０〜６０秒間加温することによって、原料米に付着した土壌由来の一般細菌数、真菌数、大腸菌群数を回収直後の半数以下に減菌できる。【選択図】図１
2012165729.tif 000002
【特許請求の範囲】
【請求項１】
精米工場、炊飯工場、製粉工場、酒造工場等で大量に排出、浄化処理されている洗米水を、飼料原料として利用するために必要な、濃厚回収、濃縮、減菌、ｐＨ調整、貯留、均質化、強制排出等のプロセスを組み合わせた飼料原料化方法、および、これらの機能を備えた装置システム。
【請求項２】
洗米時、米１ｋｇに対して水を１０％〜２０％加えて、固形分濃度８％以上の洗米水を得る装置を備えたシステム。および、これに続く固液分離操作によって、固形分１０％〜２０％の濃厚洗米水を得る処理能力２００リットル／時間以上の装置を備えたシステム。
【請求項３】
次工程の加熱殺菌機構において、６０〜１００℃の温度域で、１０〜６０秒間加温することによって、原料米に付着した土壌由来の一般細菌数、真菌数、大腸菌群数を回収直後の半数以下に減菌できる装置を備えたシステム。
【請求項４】
さらに、濃厚回収および減菌処理を施した濃厚洗米水に対して、ギ酸（９５％以上）を重量比で０．２％〜０．６％加えて、ｐＨを３．５〜４．０に調整し、２５℃で７日間保存しても、同洗米水回収直後の菌数水準に達しない域で鮮度保持できるｐＨ自動調整装置を備えたシステム。
【発明の詳細な説明】
【技術分野】
【０００１】  本発明は、精米工場、炊飯工場、製粉工場、酒造工場等で、大量に排出、浄化処理されている洗米水を良質な飼料原料として調製し、利用するために必要な方法、および装置に関する。
【背景技術】
【０００２】  従来、洗米時に固形分濃度８％の洗米水を排出する技術がある（例えば、特許文献１参照）。しかし、この回収された洗米水は水で希釈され、排水処理されている。同濃度の洗米水は、飼料原料として十分な栄養価を有するほか、ビタミンやミネラルなどの機能性成分も多く含まれていることが知られており、輸入穀物に依存する我が国の畜産業界では未利用資源としての活用が期待されていた。
【先行技術文献】
【特許文献】
【０００３】
【特許文献１】  特許第４２３９１４７号公報
【発明の概要】
【発明が解決しようとする課題】
【０００４】  洗米水を飼料原料として利用するためには、米に付着している土壌由来細菌による腐敗を抑えて鮮度を保持し、併せて、固形分濃度を高めて運搬コストを最少化させる必要があった。
【課題を解決するための手段】
【０００５】  本発明は、上記課題を解決するために鋭意検討を行い、加熱殺菌とギ酸添加の併用、ならびに固液分離法の組み合わせにより完成したものである。【０００６】  精米工場、炊飯工場、製粉工場、酒造工場等で大量に排出、浄化処理されている洗米水を、飼料原料として利用するために必要な、濃厚回収、濃縮、減菌、ｐＨ調整、貯留、均質化、強制排出等のプロセスを組み合わせた飼料原料化方法、および、これらの機能を備えた装置システムであり、以下の方法、装置により構成される。
洗米時、米１ｋｇに対して水を１０％〜２０％加えて、固形分濃度８％以上の洗米水を得る装置を備えたシステム。および、これに続く固液分離操作によって、固形分１０％〜２０％の濃厚洗米水を得る処理能力２００リットル／時間以上の装置を備えたシステム。
次工程の加熱殺菌機構において、６０〜１００℃の温度域で、１０〜６０秒間加温することによって、原料米に付着した土壌由来の一般細菌数、真菌数、大腸菌群数を回収直後の半数以下に減菌できる装置を備えたシステム。
さらに、濃厚回収および減菌処理を施した濃厚洗米水に対して、ギ酸（９５％以上）を重量比で０．２％〜０．６％加えて、ｐＨを３．５〜４．０に調整し、２５℃で７日間保存しても、同洗米水回収直後の菌数水準に達しない域で鮮度保持できるｐＨ自動調整装置を備えたシステム。
【発明の効果】
【０００７】  本発明が可能とした洗米水の高濃度回収・鮮度保持・貯留システムによれば、現在、全国規模で大量に廃棄処分されている洗米水を集中的に濃厚回収し、優れた栄養価を有する良質な国産自給飼料原料として、畜産農家に提供できる。【０００８】  また、従来、洗米水は２５℃で一晩放置すると変敗が生じる問題点があった。これに対して、本発明の鮮度保持処理によれば、上記のような問題点が解消されると同時に、固形分を約２０％まで濃厚化することで減量し、運搬コストを大幅に低減することも可能としており、２５℃で７日間は、飼料原料としての良好な品質を保持することができる。
【図面の簡単な説明】
【０００９】
【図１】  洗米水の高濃度回収・鮮度保持・貯留の流れを示す説明図である。
【発明を実施するための形態】
【００１０】  本発明の洗米水の高濃度回収・鮮度保持・貯留システムは、後述する濃厚回収、濃縮、減菌、ｐＨ調整、貯留、均質化、強制排出する機能を備えた装置の組み合わせからなり、濃厚洗米水を２５℃で７日間保存しても、これらを介して、飼料原料としての品質を保持できるように構成されていることを特徴とするものである。
【実施例】
【００１１】  既設の洗米装置の前工程に超節水型洗米装置▲１▼を設け、固形分８％以上の洗米水を分離して回収タンク▲２▼に貯留する。この一次洗米を終えた洗い米は、既設の洗米装置▲９▼ですすぎ洗いされ、炊飯工程に移送される。このすすぎ洗いの時に発生する希薄な洗米水は既存浄化槽▲１０▼に送られ浄化処理される。回収タンク▲２▼に貯留された一次洗米水は遠心分離型固液分離装置▲３▼で脱水され、固形分２０％前後に濃縮され、チューブ式殺菌装置▲４▼で連続的に減菌処理されて貯蔵タンク▲５▼に貯留されるが、強制排出ポンプ（兼循環混合ポンプ）▲８▼で均質化され、粘度低下の目的で液化酵素が添加装置▲６▼から所定量注入され、同時にｐＨ自動調整装置▲７▼よりギ酸が添加されて、ｐＨ３．５に調整される。以上の方法により、回収・鮮度保持された濃厚洗米水は強制排出ポンプ▲８▼によりバルク運搬容器に充填されるか、または、タンクローリー車の吸引機構によって車載タンクに回収され運搬される。
【産業上の利用可能性】
【００１２】  本発明は、安全・良質な家畜飼料原料としての洗米水の回収・鮮度保持に利用できる。
【符号の説明】
【００１３】１  超節水型洗米装置
２  一次洗米水回収タンク
３  遠心式固液分離装置
４  チューブ式加熱殺菌装置
５  ２０％濃縮・減菌洗米水貯蔵タンク
６  液化酵素添加装置
７  ｐＨ自動調整装置
８  強制排出ポンプ（兼循環混合ポンプ）
９  既設の洗米装置
１０  既存の浄化槽
【図１】
2012165729.tif 000003
(57)【要約】【課題】スキューバーダイビング時、水深３０ｍまでの環境下での耐圧防水性、さらに最適な音量音質を確保出来る音響装置は無かった。本発明は、スキューバーダイビング時に音楽を聞くための水中ヘッドホンを提供する。【解決手段】ヘッドホンの左右スピーカー部を水深３０ｍ防水ケースに納め、左右スピーカーの配線を束ねることによって、左側一本の配線とした水中ヘッドホン。【選択図】図１
2012165349.tif 000002
【特許請求の範囲】
【請求項１】
ヘッドホンの左右スピーカ一部を水深３０ｍ防水ケースに納め、左右スピーカー配線を束ねることによって、左側一本の配線とした水中ヘッドホン。
【発明の詳細な説明】
【技術分野】
【０００１】本発明は、主にスキューバーダイビング時に音楽を聞くための水中ヘッドホンに関するものである。
【背景技術】
【０００２】従来、スキューバーダイビング時に水中で音楽を聞くという発想は一般的には無かった。また、代用できる道具等も無かった。
【先行技術文献】
【０００３】
【特許文献１】特開２００７−２０８６７７号公報
【発明の概要】
【発明が解決しようとする課題】
【０００４】スキューバーダイビング時、水深３０ｍまでの環境下での耐圧防水性。
さらに最適な音量音質を確保出来る音響装置は無かった。
本発明は、以上の問題点を解決するためになされたものである。
【課題を解決するための手段】
【０００５】ヘッドホンの左右スピーカー部を３０ｍ防水ケースに納め、左右スピーカー配線を束ねることによって、左側一本の配線とする。
以上の構成よりなる水中ヘッドホン。
【発明の効果】
【０００６】スキューバーダイビング時に、水深３０ｍまでの環境下で音楽を聞く手段は無かったが、本発明により可能にし、スキューバーダイビングの楽しみ方の幅を広げる事が出来た。
本発明は、スキューバーダイビングだけでなく、屋外活動全般で利用する事が出来る。
【図面の簡単な説明】
【０００７】
【図１】本発明の斜視図
【図２】本発明の出力装置斜視図
【図３】本発明の装着図
【発明を実施するための形態】
【０００８】以下、本発明の実施の形態を説明する。
（イ）湾曲形状の腕部（６）の両端に防水ケース止め具（７）を設ける。
（ロ）スピーカー（１）を防水ケース（２）に納め、右スピーカー配線（３）と左スピーカー配線（４）を防水ケースの外に出した後、防水ケース（２）を３０ｍ防水仕様に密封し、ケース止め具（７）に取り付ける。
（ハ）右スピーカー配線（３）を腕部（６）を介し、左スピーカー配線（４）と束ね一本とし、ヘッドホン配線（５）とする。
本発明は以上のような構造である。
本発明を使用するときは、３０ｍ防水ケース（８）に小穴（９）を貫通させ、ヘッドホン配線（５）を通した後に小穴（９）を塞ぐ。
スピーカー出力装置（１１）にヘッドホン配線（５）とデジタルオーディオプレーヤー（１０）を接続した後、デジタルオーディオプレーヤー（１０）を起動させ、スピーカー（１）に音源を出力させる。
３０ｍ防水ケース（８）の蓋を閉め、適当な場所に止め具やベルト等で体に固定する。水中ヘッドホンを耳に当て水中へ潜り音楽を聞く。
ヘッドホン配線（５）を左側一本の配線とすることで、緊急時の脱着が容易である。ヘッドホン形状とすることで、小さいスピーカー出力でも音量音質を確保出来る。さらに水中で安定した装着性を保つ事が出来る。
【符号の説明】
【０００９】１  スピーカー、  ２  防水ケース、  ３  右スピーカー配線、
４  左スピーカー配線、  ５  ヘッドホン配線、  ６  腕部、  ７  ケース止め具、
８  ３０ｍ防水ケース、  ９  小穴、  １０  デジタルオーディオプレーヤー、
１１  スピーカー出力装置、
【図１】
2012165349.tif 000003
【図２】
2012165349.tif 000004
【図３】
2012165349.tif 000005
(57)【要約】【課題】  ペットの髭を確実に捕えて容易に除去することを得る。【解決手段】  鋏の先端部に刃形部分を設けて、その内側に髭のみを収容しつつ下方に移動させて、隣接する毛を痛めずに髭を切断できるように制御棒と制御スプリングを設ける。【選択図】図１
2012223175.tif 000002
【特許請求の範囲】
【請求項１】
鋏（１）の上部及び下部のアーム（２）及び（３）の先端部分に各々同様な半円の擂り鉢形の刃形部分（４）及び（５）を設け、各々の下端に刃（６）及び（７）を設け、制御棒（８）と制御スプリング（９）を連動させる事により、段階的に該刃形部分を、各々開かせて髭（１８）を取り込み、閉じて該髭を捕え、更に髭の根元まで下降させて切断することができるように構成したことを特徴とするペットの髭切り鋏。
【発明の詳細な説明】
【技術分野】
【０００１】  本発明は、ペットの髭をその周囲の短い毛を痛めずに切り取る器具に関する。
【背景技術】
【０００２】  従来の髭の切り方には先端の鋭く尖った鋏などを使用して行うことが多々あるように思われるが、隣り合った毛まで切ってしまうなど上手に行えない面があった（例えば、特許文献１参照。）。
【先行技術文献】
【特許文献】
【０００３】
【特許文献１】  特開２００９−２８４８５１号  公報
【発明の概要】
【発明が解決しようとする課題】
【０００４】  本発明は、ペットの髭を１本ずつ確実に捕らえて隣接するほかの毛を巻き込んだりせずに根元から切り取ることのできる器具を提供することを目的としている。
【課題を解決するための手段】
【０００５】  上記の目的を達成するために、上部及び下部のアームの先端部分に各々同様な半円の擂り鉢形の刃形部分を設け、更に、各々の下端に刃を設け、制御棒と制御スプリングを連動させることにより、段階的に該刃形部分を、各々、開かせて髭を取り込み、閉じて該髭を捕え、更に髭の根元まで下降させて切断することができるように構成したものである。【０００６】  制御スプリングの適宜な圧縮強さと弾性によって、まず髭を捕えた状態を感知し、そして更に下方に押し込んで切断することが可能となるので、スプリングの内径は３ｍｍ前後とし、使用する線径は０．５ｍｍ内外とするのが好ましい。【０００７】  先端の刃形部分を上向きに折り曲げる角度はペットの鼻の付近等の形状に沿って円滑に作業し得るように４５度前後とするのが良い。
【発明の効果】
【０００８】  本発明は、以上説明したように構成されているので、捕えられた髭を折り曲げ部分（１２）、（１３）によって他の毛と遮断された状態に保ちつつ下方に移動せしめて、髭をその根元近くで切断することができる。
【図面の簡単な説明】
【０００９】
【図１】  本発明の実施形態を示す鋏の斜視図
【図２】  同部分側面図
【図３】  同図４におけるＡ−Ａ線断面図
【図４】  同部分平面図
【図５】  同図６におけるＢ−Ｂ線断面図
【図６】  同刃形部分の全開時を示す平面図
【図７】  同刃形部分の閉塞時を示す平面図
【図８】  同刃形部分の切断時を示す平面図
【図９】  同刃形部分が段階的に移動する動きを示す状態図
【発明を実施するための形態】
【００１０】  以下、本発明の実施の形態を図１〜図９に基づいて説明する。
【００１１】  図１においては、制御棒（８）の末端でアーム（３）が止められて、刃形部分（４）、（５）が全開となった状態が示されている。
【００１２】  図２においては、先端の刃形部分（４）、（５）が上向きに所定の角度で曲げられている。
【００１３】  図３においては、刃形部分（４）、（５）の全開した際の位置関係が示されている。
【００１４】  図４においては、先端部の湾曲部（１０）、（１１）、及び内側への折り曲げ部分（１２）、（１３）が示されている。
【００１５】  図５においては、先端が全開した際のアーム（２）、（３）、制御棒（８）、制御スプリング（９）の位置を示し、制御棒（８）の長さを調節するためのナット（１５）及び制御スプリング（９）を固定するためのナット（１４）が示されている。
【００１６】  図６、図７、図８においては、各々、刃形部分（４）、（５）の全開時、髭を捕えた時、髭の切断時を示し、動作の移行に伴って制御スプリングが縮小されている。
【００１７】  図９においては、髭（１８）と刃形部分（４）、（５）の位置関係が示されており、（イ）は髭（１８）を取り込む位置、（ロ）は該髭を捕らえる位置、（ハ）は切断する位置である。
【符号の説明】
【００１８】  １  ペットの髭切り鋏
２  上部のアーム
３  下部のアーム
４  上部先端の刃形部分
５  下部先端の刃形部分
６  上部先端の刃
７  下部先端の刃
８  制御棒
９  制御スプリング
１０  上部先端の湾曲部
１１  下部先端の湾曲部
１２  上部先端の折り曲げ部分
１３  下部先端の折り曲げ部分
１４  固定用ナット
１５  固定用ナット
１６  ペットの地肌
１７  短い毛
１８  髭
【図１】
2012223175.tif 000003
【図２】
2012223175.tif 000004
【図３】
2012223175.tif 000005
【図４】
2012223175.tif 000006
【図５】
2012223175.tif 000007
【図６】
2012223175.tif 000008
【図７】
2012223175.tif 000009
【図８】
2012223175.tif 000010
【図９】
2012223175.tif 000011
(57)【要約】【課題】  本発明は、長方形の板状の盤に数個の窪みや折り込むためのツメとして凹凸部の凸起を設け、ギョウザを一度に数個作れるように工夫したギョウザ早包器を提供する。【解決手段】  長方形の板状の盤（１）にギョウザの皮大の円状のギョウザの皮置部（２）を設け、その円の中央にむけてゆるやかに深くなる窪みを設け、円の外周の対局部分に半円に折ったときのはずれ止になる凹凸部のつめ（３）を設け、長方形の板状の盤（１）の中央に折り代（４）を設けたことを特徴としたギョウザ早包器。【選択図】図１
2012223174.tif 000002
【特許請求の範囲】
【請求項１】
長方形の板状の盤（１）にギョウザの皮大の円状のギョウザの皮置部（２）を設け、その円の中央にむけてゆるやかに深くなる窪みを設け、円の外周の対局部分に半円に折ったときのはずれ止になる凹凸部のつめ（３）を設け、長方形の板状の盤（１）の中央に折り代（４）を設けたことを特徴とするギョウザ早包器。
【発明の詳細な説明】
【技術分野】
【０００１】  本発明は、長方形の板状の盤に数個の窪みや折り込むためのツメとして凹凸部の凸起を設け、ギョウザを一度に数個作れるように工夫したギョウザ早包器に関するものである。
【背景技術】
【０００２】  従来、ギョウザ包みの作業は、相当な熟練した技術が必要とされ、なおかつ、大変手間がかかるため、ギョウザ作りを楽しみ、なおかつ、ギョウザ作りの効率をあげるのは、なかなかむずかしいことであった。
このため、ギョウザが好きな人は、家庭で、ギョウザを楽しむのに、精々店頭で既製品のギョウザを買って、加工して、食べていた。
【先行技術文献】
【０００３】
【特許文献】
【特許文献】  登録実用新案第３０６７３２６号公報
【発明の概要】
【発明が解決しようとする課題】
【０００４】  そのために、次のような問題点がある。
（イ）いままでは、スピード良く作れる器具がないため、手包みで時間をかけて作ること    しかできなかった。
（ロ）そのため、家族の多い家庭や食べ盛りの子供のいる家庭は、数多くつくるのが大変    な労力であった。
（ハ）作る大変さを思うと、おいしいギョウザでも、よっぽどメニューに困ったときにし    か作る気になれない、と思われていた。
本発明は以上の問題点を解決するためになされたものである。
【課題を解決するための手段】
【０００５】  長方形の板状の盤（１）にギョウザの皮大の円状のギョウザの皮置部（２）を設け、その円の中央にむけてゆるやかに深くなる窪みを設け、円の外周の対局部分に半円に折ったときのはずれ止になる凹凸部のつめ（３）を設け、長方形の板状の盤（１）の中央に折り代（４）を設ける。
本発明は、以上のような構成よりなるギョウザ早包器。
【発明の効果】
【０００６】  一度に数個のギョウザが包めるため具材を用意すれば、だれにでも容易に包むことができる。
本発明により、家庭でも、ギョウザを作るときの包み作業が簡単になった。
【図面の簡単な説明】
【０００７】
【図１】  本発明の斜視図である。
【発明を実施するための形態】
【０００８】  以下、本発明の実施の形態について説明する。
長方形の板状の盤（１）にギョウザの皮大の円状のギョウザの皮置部（２）を設ける。
その円の中央にむけてゆるやかに深くなる窪みを設ける。
円の外周の対局部分に半円に折ったときのはずれ止になる凹凸部のつめ（３）を設ける。
長方形の板状の盤（１）の中央を薄くした折り代（４）を設ける。
本発明は、以上のような構成よりなるギョウザ早包器である。
本発明を使用するときは、長方形の板状の盤の上にギョウザの皮を置く。
数個の円を並べて設ける。
円の中央に向けてゆるやかに深くなる窪みを設け、円の対局に皮をくっつき易くするための凹凸部を設ける。
半分に折ったときに具材がこぼれださないようにしっかりくっつくことを特徴とした。
最も手早く作るには肉や刻んだ野菜や調味料を一緒にビニール袋に入れてまんべんなく揉んで混ぜ合わせる。
具材の入った袋の一方の角を切り取り、ここから盤の上に並べた皮の中央に適量絞りだす。
円の中に皮を置き中央の窪みのところに具材をのせて向こうに折る。
皮の外回りに水か、水溶き片栗粉をつけて盤を半分に折り曲げる。
このとき、少し力を加える。
このとき、円周をかるくおさえると凹凸部がくっつきギョウザの形態になる。
これで、１度に数個ができあがるので繰り返し作っていく。
【符号の説明】
【０００９】１  板状の盤
２  ギョウザの皮置部
３  つめ
４  折り代
【図１】
2012223174.tif 000003
(57)【要約】【課題】  根は下へ伸び、幹も上へずんずんと伸びて行くが、強い根付きもせず、幹も細く背の高いものになって、外観から見ても立派な育ち方まではしなかった。【解決手段】  該鉢内には中央部に穴部が形成するようにして、板材の螺旋状部材を配置しておきさらに前記鉢内底面の開口穴に布紐を通すと共に、水ゴケやスポンジを絡ませながら培養土を挿入させた中に観葉植物の苗を植え込むことができる。【選択図】なし【特許請求の範囲】
【請求項１】
予め、貯水皿のなかに植木鉢を固定すると共に、該鉢内底面に設けられた開口穴を塞ぐ程度に水を投入しておき、該鉢内には、中央部に穴部が形成するようにして板材の螺旋状部材を配置しておき、さらに前記鉢内底面の開口穴に布紐を通すと共に、水ゴケやスポンジを絡ませながら培養土を挿入させた中に観葉植物の苗を植え込むことで、前記布紐による毛細管現象により、発育を促すようにしたことを特徴とする、観葉植物の育成方法。
【請求項２】
前記方法に用いられる植木鉢は、形状を円筒形や円錐形あるいは箱形などよりなる陶磁器や合成樹脂あるいはガラス製などよりなり、さらに底部に布紐を通す為の開口穴から形成されてあると共に、鉢内には中央部に穴部を形成するように、板材の螺旋状部材が配置されてあることを特徴とする、観葉植物の育成の為に用いられる植木鉢。
【発明の詳細な説明】
【技術分野】
【０００１】  本発明はゴムやヤシ、ホンコンカボックなどの観葉植物を室内に装飾しようとする観葉植物の育成方法およびこれに用いる部材と植木鉢。
【背景技術】
【０００２】  従来より観葉植物を鉢に植えて室内に装飾し、これらを眺める習慣があった。これらに用いられる鉢は、一般的にせとものやプラスチックから作られ、深鉢や平鉢あるいは壁掛けや吊り鉢もあった。これらは誰にでも簡単に入手できるものであった。そこで本発明に係わる台形の深鉢に観葉植物の苗を鉢内中央に植えた場合には、根は中央より鉢内壁面へ伸び、壁面に沿って下へと伸びる性質があり、その性質をいかし根や幹や枝・葉も伸び伸びと育てる方法もあった。又、本発明に係わる先行技術を調べると次の物件があった。
【先行技術文献】
【特許文献】
【０００３】
【特許文献１】  特開２００５−１９８６３６号公報
【特許文献２】  特開２００５−２０４６２９号公報
【０００４】  上記特許文献１は筒状の覆いの上端及び下端を開放し、その中に紐を通して、紐と覆いを一体化してあることを特徴とする底面給水用の紐。【０００５】  また、特許文献２は逆円錐台状に成型し、上部は開放し、下部には１つ以上の穴を開けた底面を有する弾力性のある材質で成型したことを特徴とする植木鉢。
【発明の概要】
【発明が解決しようとする課題】
【０００６】  従来の鉢は、鉢の上面から給水し、底面から排水する為、受け皿で受けていた。また底面給水による鉢は、主に鉢花としての用途が広く、短時間での水の補給を常とする鉢にみうけられる。また、従来の観葉植物のように、鉢中央に観葉植物を植え、底面給水の方法で育成した場合には、根は下に伸び、幹も上へずんずんと伸びていくが、強い根付きもせず、幹も細く背の高いものになって、外観から見ても立派な育ち方まではしなかった。さらに、特許文献１は更なる植物の育成する方法もあった。給水マットと貯水槽の底までの紐が長く、菌の増殖がはげしく、さらに水の吸い上げによる水位の低下が増すことで、水の供給の退化が起きる問題もあった。さらに、特許文献２も同様な問題があった。
そこで本発明は、これらの問題を観葉植物の根がしっかり根付き、幹や枝・葉が丈夫に育ち、色つきもよく、見ばえの良い立派な観葉植物を育てることが目的である。
【課題を解決するための手段】
【０００７】  本発明は上記課題を解決するために、予め貯水皿の中に植木鉢を固定すると共に、該鉢内底面に設けられた開口穴を塞ぐ程度まで水を投入しておき、該鉢内には、中央部に穴部が形成するようにして、板材の螺旋状部材を配置しておき、さらに前記鉢内底面の開口穴に布紐を通すと共に、水ゴケやスポンジを絡ませながら、培養土を挿入させた中に、観葉植物の苗を植え込むことで、前記布紐による毛細管現象により、発育を促すようにしたことを特徴とする観葉植物の育成方法。
【発明の効果】
【０００８】  １、観葉植物の根が螺旋状の中子に誘導されることによってしっかりと繁殖し、幹や枝・葉が立派に育つ。
２、根の酸素吸収が活発に行われる。
３、外から見てみずみずしい観葉植物をいつまでも観賞することができる。
【図面の簡単な説明】
【０００９】
【図１】は本実施形態に係わる説明の透視図である。
【図２】は本実施形態に係わる繁殖中の説明図である。
【図３】は上記実施形態に係わる＜例＞の説明図である。＜例＞［図３Ａ（ａ）］…丸状台形鉢の平面図  ［図３Ａ（ｂ）］…丸状台形の断面図  ［図３Ａ（ｃ）］…丸状台形鉢の底面図  ＜例＞［図３Ｂ（ａ）］…角状台形鉢の平面図  ［図３Ｂ（ｂ）］…角状台形の断面図  ［図３Ｂ（ｃ）］…角状台形鉢の底面図  ＜例＞［図３Ｃ（ａ）］…多角状台形鉢の平面図  ［図３Ｃ（ｂ）］…多角状台形の断面図  ［図３Ｃ（ｃ）］…多角状台形鉢の底面図
【図４】＜例＞板状の螺旋状部材の斜視図
【図５】は観葉植物の育成方法を使用して装飾鉢を考案されている図である。
【発明を実施するための形態】
【００１０】  本発明の実施形態について、図面を参照して説明する。図１に示すように、貯水皿６の中に水を蓄え、その中へ植木鉢１を設置する。さらに該鉢内底面に開口穴９が設けられ、前記の水位は、この開口穴９を塞ぐ程度まで入れてあることが好ましい。該鉢内の中央部に板材からなる螺旋状部材２が挿入配置され形成される。また、該鉢内底面には布紐３の貯水皿６から水を鉢内に引き入れられる開口穴９により、布紐３の毛細管現象により、充分に鉢内に導入できる工夫がされている。さらに布紐らには、水ゴケやスポンジなどを絡ませると共に、活性炭を混入した培養土８を鉢内に詰め込むと同時に観葉植物１４の苗を植え込む。またここで示される植木鉢や螺旋状部材２の材質は陶磁器や合成樹脂、あるいはガラス製などから作られている。さらにここで示される植木鉢は形状を円筒形か円錐形あるいは箱型からなり、螺旋状部材の中央部に穴部が形成される形で構造が作られている事が好ましい。
【００１１】  上記機能性だけでなく、ナチュラルで違和感のないデザイン性を兼ね備えた装飾的な観葉植物の植木鉢が考案されている。
［図５］
ａ…靴  ｂ…小屋  ｃ…水車小屋  ｄ…古株  ｅ…釣瓶  ｆ…サザエ
【産業上の利用可能性】
【００１２】  鉢生産業者、プラスチック業者、ガラス生産者、観葉植物生産業者、園芸資材業者、園芸市場、園芸店、通信販売業者、道の駅・観光地売店。
【符号の説明】
【００１３】１…台形の鉢
２…螺旋状部材
３…布紐
４…布紐に水ゴケやスポンジが絡む
５…台座
６…貯水皿
７…水面
８…培養土
９…開口穴
１０…台座溝
１１…太い根
１２…長い根
１３…ひげ根
１４…苗
１５…成長した幹
１６…詰まった枝
１７…詰まった葉
１８…螺旋状部材中央穴部
【図１】
2012223177.tif 000002
【図２】
2012223177.tif 000003
【図３】
2012223177.tif 000004
【図４】
2012223177.tif 000005
【図５】
2012223177.tif 000006
(57)【要約】【課題】従来、車椅子を搭乗者が自力で操作する場合に自走ハンドリムを直接手で握り、それに力を加えて自走ハンドリムを回転させ、連結されている介助輪に動力を伝達する、前進、後退、停止等の操作を行なう上で、身障者や体力の劣えた足の不自由な高齢者等の手漕による車椅子の操作は行動範囲や段差のある場所では体力の消耗も甚しく搭乗姿勢も一定しない等の課題が多様にあったものである。【解決手段】車椅子を搭乗者が自力で操作する場合に従来の手漕に変り、車椅子の両側に設けた駆動レバーを用いて梃の作用で、自走ハンドリムを回転させ、連結している介助輪に動力を伝達して、前進、後退、停止等の操作を行うものである、本発明の動力導入装置により足腰の不自由な搭乗者の従来の不便も解決されるものである。【選択図】図１
2012223551.tif 000002
【特許請求の範囲】
【請求項１】
車椅子の両側に設けた延長シヤフトに自走用の動力導入装置を設けたものである動力を伝達するベアリングを介した駆動レバーに取付た接合爪を、車椅子の自走ハンドリムに噛合せ動力を伝達する、これにより自走ハンドリムと連結されている介助輪に動力が伝達され、前進、後退、停止等の操作が可能であることを特徴とする自走車椅子の動力導入装置。
【請求項２】
動力導入装置の駆動レバーを支持して、作動範囲を調整するガイドプレートを設け、駆動レバーの安定を保つため切り溝に接合ピンでつなぎ、駆動レバーのぶれを防ぐことを特徴とする請求項１記載の車椅子の自走動力導入装置。
【請求項３】
車椅子が介助走のとき駆動レバーの中立を保つため、駆動レバーの上部と下部の継目の個所に中立保持板を設け、走行中に接合爪と自走ハンドリムが噛合のを防ぐものであることを特徴とする請求項１または２記載の自走車椅子の動力導入装置。
【請求項４】
前記自走用動力導入装置は車椅子の車軸のシヤフトを延長して作成した固定シヤフトに設けたことを特徴とする請求項１に記載の自走車椅子の動力導入装置。
【発明の詳細な説明】
【技術分野】
【０００１】本発明は車椅子に自走用の動力導入装置を設けたことに関する。
【背景技術】
【０００２】車椅子を搭乗者が自力で操作する場合は、車椅子の両側に設けてある、自走ハンドリムを直接手で握り、それに力を加えて作動させ連結している介助輪に動力が伝達されるものである。【０００３】以上のように車椅子の自走ハンドリムを手漕で操作する場合に５０ｍ以上の移動の際や、２ｃｍ、３ｃｍの僅かな段差を越えのも、体力の劣へた高齢者、歩行困難身障者等の体力の消耗は甚しいものである。【０００４】自走で車椅子を狭い場所等で扱うとき、ハンドリムを握っている搭乗者の手の甲が物と接触して傷を負うときも度々あり、安全面についても一考を要するものである。
【発明の概要】
【発明が解決しようとする課題】
【０００５】上記のように自力で車椅子を操作する場合は如何なる場所に於ても手漕による動力伝達する以外に方法がなく、搭乗者に多大な労力の負担がかかるといった問題がある。【０００６】本発明は上記の課題を解決するため、車椅子の両側に動力導入装置を設け搭乗者がそれを操作することにより労力の軽減、並に安全面等に対する動力導入装置を提供することを目的とするものである。
【課題を解決するための手段】
【０００７】請求項１の発明は車椅子の両側の延長シヤフトに回転自在に設けた駆動レバーの接合爪と自走ハンドリムを噛合せ、介助輪に動力を伝達することを特徴とする。【０００８】また請求項２の発明では駆動レバーを支持する、ガイドプレートにより駆動レバーの作動範囲も調整され安定した操作が実現されることを特徴とする。
また請求項３の発明は、車椅子が介助走のときに駆動レバーの接合爪が自走ハンドリムと噛合ぬため中立保持具を設け、駆動レバーが作動するのを防ぐための手段であることを特徴とする。
【発明の効果】
【０００９】また請求項１の発明によれば車椅子の自走ハンドリムを動力導入装置により操作する構成としているので搭乗者の労力の低減、安全性の確保、操作姿勢の向上などにおいて優れた効果を発揮できる。
【図面の簡単な説明】
【００１０】
【図１】本発明の実施形態の車椅子全体を示す斜視図。
【図２】同上の正面図。
【図３】（Ａ）本発明の実施形態による延長シヤフトの平面図、（Ｂ）延長シヤフトに取付る動力導入装置の平面図。
【図４】（Ａ）自走ハンドリムに組合せた装置の正面図、（Ｂ）接合爪とハンドリムの噛合の裏側の斜視図
【図５】介助走のとき駆動レバーを中立に保持する用具と、ベアリングを取付けた駆動レバーの斜視図
【図６】駆動レバーに取付た各部品、及びガイドプレートと駆動レバーの組合せ裏面図
【発明を実施するための形態】
【００１１】以下、本発明の実施の形態を添付図面に基づいて説明する。
【００１２】図１乃至６図は、この発明の第１の動力導入装置の一例を示す図であり、図中Ｓは発明の動力導入装置が実施される車椅子の車軸シヤフトを指す。図中符号１はこの発明の自走用の動力導入装置を取付る延長シヤフトである。これにワツシヤー２  ガイドプレート３  ベアリング５を介した駆動レバー４、締付ナツト６を設け、車輪への動力伝達手段としている。
【００１３】図３（Ａ）に示す本発明の延長シヤフト１は車椅子本体の車軸シヤフトＳと同心円状に形成する。
延長シヤフト１は部材の組立順に従い段差を付け、緊密に各部材を取付る。
【００１４】図３（Ｂ）は延長シヤフト１にワツシヤー２を組込み、駆動レバー４のガイドプレート３及びワツシヤ２と六角締付ナツトで、自走用動力導入部材としたものである。
【００１５】図４（Ａ）本発明の自走用動力導入装置と自走ハンドリムＨ及び介助輪との関連状態を示すものである。
【００１６】図４（Ｂ）は駆動レバー４が垂直の状態のときは中立を保ち傾けると接合爪８が自走ハンドリムＨと噛合うように形成されている。
【００１７】図５は車椅子が介助走による場合は、駆動レバ４に設けられた接合爪８が自走ハンドリムＨと噛合ぬように安全装置として、中立保持板１３を駆動レバー４の上部と下部の継目に設ける保持板１３のストツプピン１４等により形成されている。
【００１８】図６は駆動レバー４はガイドプレート３のガイドピン１２に支持され、前後に６０度から３５度の範囲で作用する、駆動レバー４の上部と下部の継目にスプリング１０を設け、搭乗者が駆動レバー４を中立の位置に戻す際の補助とするものである
【符号の説明】１延長シヤフト        ８接合爪              Ｋ介助輪
２ワツシヤー          ９継目ピン            Ｈ自走ハンドリム
３ガイドプレート    １０継目スプリング      Ｓ本体車軸
４駆動レバー        １１スプリング止ピン
５ベアリング        １２ガイドピン
６六角ナツト        １３中立保持具
７把    手          １４中立保持具止ピン
【図１】
2012223551.tif 000003
【図２】
2012223551.tif 000004
【図３】
2012223551.tif 000005
【図４】
2012223551.tif 000006
【図５】
2012223551.tif 000007
【図６】
2012223551.tif 000008
(57)【要約】【課題】  ガラス面、光沢のある金属面や塗装面、プラスチック面の拭掃は勿論、処理液によって処理された面が光沢を失うことなく汚れを防ぎ、長期間効果が持続する表面処理液含浸布材を提供する。【解決手段】  エタノール、精製水、弗素を所定の割合で混合し、高速回転機能の攪拌機で攪拌した表面処理液を布材に浸透させた表面処理液含浸布材。【選択図】図１
2012223535.tif 000002
【特許請求の範囲】
【請求項１】
エタノール、精製水、弗素を所定の割合で混合し、高速回転機能の攪拌機で所定時間攪拌した表面処理液をマイクロファイバー等の布材に浸透させたことを特徴とする表面処理液含浸布材。
【発明の詳細な説明】
【技術分野】
【０００１】  本発明は、ガラス面や光沢のある金属面や塗装面、プラスチック面を払拭することによって長期間保護すると共に、払拭後に付着した汚れや塵埃を乾燥した布材又はハタキで軽く拭き払うだけで取り除くことができる表面処理液含浸布材に関するものである。
【背景技術】
【０００２】  従来、ガラス面や光沢のある金属面の汚れ、塗装面やプラスチック面の汚れや塵埃の付着を防ぐための処理液は数多く提供されているが、処理液を含浸させた布材は数少なく、その効果も満足するには程遠いものであった。
【先行技術文献】
【０００３】
【特許文献１】特開２００６−１３０８９６号公報
【特許文献２】実録３０９３３８４号公報
【特許文献３】実録３０１４７８１号公報
【発明の概要】
【発明が解決しようとする課題】
【０００４】  これまで光沢のある金属面や塗装面、ガラス面、プラスチック面等の汚れや塵埃の付着を除去するには前期の面に表面処理液を塗布した後、布材で拭き取ることによって取り除いていたが、光沢のある面を長く持続させることはできなかった。
従って雨の多い地方や雨季の続く季節は頻繁に汚れた面を拭掃しなければならなかった。
本発明は、上記の問題点を解決するため、近時開発されたエタノール、精製水、弗素を混合し、これを高速回転で攪拌処理した表面処理液をマイクロファイバー等の素材に浸透させた布材を提供することを目的とする。
【課題を解決するための手段】
【０００５】  上記課題を解決するため本発明は、エタノール６０％、精製水３９．７％、弗素０．３％の割合で混合し、高速回転で攪拌処理した表面処理液を布に浸透させた表面処理液含浸布材である。
【発明の効果】
【０００６】  上記のように構成された本発明の表面処理液含浸布材には次のような効果がある。
従来のように表面処理液をガラス面、光沢のある金属面、塗装面やプラスチック面に噴霧したり、塗布した後に乾いた布材で拭き取る必要はなく、表面処理液含浸布材で拭き取るだけで汚れが取り除かれると同時に、それぞれの面の微細凹部に表面処理液の弗素微粉体が転写付着することによってコートされ、光沢のある面となり、光沢のある面が長時間持続すると共に汚れを防止する効果がある。
尚、本発明の表面処理液は人や動物が誤って飲んでも害はない。
【図面の簡単な説明】
【０００７】
【図１】本発明の一例を示す斜視図
【図２】本発明の一面に布材を張着した使用例図
【図３】図２に於けるＡ−Ａ一部拡大断面図
【図４】メガネ拭用に裁断した使用例図
【図５】メガネを拭いている状態を示した図
【発明を実施するための最良の形態】
【０００８】  以下、本発明の実施の形態を説明する。
エタノール（ＣＨ３・ＣＨ２ＯＨ）                ６０％
精製水（Ｈ２Ｏ）                                ３９．７％
弗素（Ｆ）                                        ０．３％
上記のような割合で、エタノール、精製水、弗素を混合したものを高速回転機能を有する攪拌機で、高速で１０数分間回転攪拌処理をして完成させた表面処理液をマイクロファイバー等の機能性布材に浸透させて表面処理液含浸布材が完成する。
このように構成された表面処理液含浸布材を使用する場合は、通常ガラス面、光沢のある金属面、プラスチック面を拭く場合は、表面処理液含浸布材の一面に別の布材を張着して使用する。
このように使用すると、含浸した表面処理液が手に付着しない。
又、やや厚目の布材に着脱自在の接着剤又は面ファスナー等を介して張着しておくと、長時間使用で汚れた表面処理液含浸布材を容易に交換することができる。
メガネ拭きに使用する場合は、柔軟なやや厚目の布材の片面に本発明の布材を張着し、メガネ（両眼）の大きさに裁断し、二つ折りにしてレンズの両面を拭く。
【符号の説明】  １  表面処理液含浸布材
２  布材
３  メガネ
４  接着剤
５  人さし指
６  親指
【図１】
2012223535.tif 000003
【図２】
2012223535.tif 000004
【図３】
2012223535.tif 000005
【図４】
2012223535.tif 000006
【図５】
2012223535.tif 000007